(57)【要約】      （修正有）【課題】想定外の力がかかったような場合でもストラップの部分で切断されにくく、ＩＤカードが裏返しになりにくく、鍵などの小物を衣服の胸ポケットの内側に保持することができるリール式ＩＤカードホルダを提供する。【解決手段】リール式ＩＤカードホルダ１００は、リール部１と伸縮自在のストラップ部１１とを有するものである。ストラップ部１１は、ＩＤカード２１を装着するための結合具と、幅広の帯状ストラップ１３とを有しており、帯状ストラップ１３はリール部１内に巻き取り収納が可能である。結合具には、簡単な操作でＩＤカード２１の表裏を逆にした状態で保持可能な回転式結合フック又は着脱式結合フックを用いる。リール部１には、スリット状をした引出口９と、衣服の胸ポケットに固定されるためのクリップ５を有しており、クリップ５には小物装着用孔を形成する。【選択図】図１
0003183259.tif 000002
【実用新案登録請求の範囲】
【請求項１】
ＩＤカードと結合されて使用されるリール式ＩＤカードホルダであって、
前記リール式ＩＤカードホルダは、
リール部とストラップ部とを有するものであり、
前記ストラップ部は、
前記ＩＤカードと結合される結合具と幅広の帯状ストラップとを有するものであり、
該帯状ストラップは、
前記リール部に巻き取り収納が可能なものであり、
該リール部は、
前記帯状ストラップが引き出されるスリット状をした引出口と、衣服の胸ポケットに固定されるクリップとを有するものである
ことを特徴とするリール式ＩＤカードホルダ。
【請求項２】
ＩＤカードと結合されて使用されるリール式ＩＤカードホルダであって、
前記リール式ＩＤカードホルダは、
リール部とストラップ部とを有するものであり、
前記ストラップ部は、
前記ＩＤカードと結合される結合具と幅広の帯状ストラップとを有するものであり、
前記結合具は、
前記ＩＤカードの表裏を逆にした状態で保持可能なものであり、
前記帯状ストラップは、
前記リール部に巻き取り収納が可能なものであり、
該リール部は、
前記帯状ストラップが引き出されるスリット状をした引出口と、衣服の胸ポケットに固定されるクリップとを有するものである
ことを特徴とするリール式ＩＤカードホルダ。
【請求項３】
前記クリップには、
小物装着用孔が形成されている
ことを特徴とする請求項１又は請求項２記載のリール式ＩＤカードホルダ。
【請求項４】
請求項３に記載のリール式ＩＤカードホルダであって、
前記小物装着用孔は、
前記クリップに突起部が形成され、該突起部が穿孔されて形成されたものである
ことを特徴とするリール式ＩＤカードホルダ。
【請求項５】
請求項３に記載のリール式ＩＤカードホルダであって、
前記小物装着用孔は、
前記クリップの下端部を、チューブ状に折り曲げて形成されたものである
ことを特徴とするリール式ＩＤカードホルダ。
【考案の詳細な説明】
【技術分野】
【０００１】
本考案は、身分証明書（以下、単にＩＤカードと呼ぶ。）と結合されて使用される伸縮自在のストラップを有するリール式ＩＤカードホルダに関するものである。
【背景技術】
【０００２】
近年、ＩＤカードは、その内部にＩＣ回路が組み込まれており、建物への出入りを管理するためのセキュリティ・チェックや事務所内でのコピー機の使用状況の把握、さらには社員食堂での飲食代の清算などにも使用されている。
【０００３】
これらのＩＤカード２１は、そのままの状態で、又は、前面が透明のカードケース２３などに入れられた状態で、リール式ＩＤカードホルダ１００を用いて胸ポケット２９に固定したり、ネック用の紐２６を付けて首からぶら下げたりして使用をするのが一般的である（図７）。
【０００４】
ＩＤカード２１を使用する機器の多くは、ＩＤカード２１を情報読取装置に接近させないとＩＣ回路の情報が読み取れないという問題点がある。すなわち、ＩＤカード２１の使用者は、使用をするたびごとに身をかがめたり、カードケースからＩＤカード２１を取り出したりして、それを情報読取装置に接近させて情報を読み込ませる必要があり、この作業は使用者にとっては極めて煩わしいものであった。
【０００５】
そこで、ＩＤカード２１に使用されるストラップとして、内部に渦巻きバネなどを使用した伸縮自在のストラップを有するリール式のＩＤカードホルダが提供されている（特許文献１〜特許文献５）。
【０００６】
これらのリール式のＩＤカードホルダを使用する際には、リール内の渦巻きバネの巻戻し力よりも強い力でＩＤカード２１などを引っ張り、リール内に巻回されている紐状をしたストラップの部分を引っ張り出すことによって、ＩＤカード２１などを情報読取装置に接近させることができる。
【０００７】
したがって、リール式のＩＤカードホルダを用いることによって、ＩＤカード２１の使用者は身をかがめたり、カードケース２３からＩＤカード２１を取り出したりして、それを情報読取装置に接近させてその情報を読み込ませる必要がない。
【０００８】
一方、ＩＤカード２１の使用後は、ＩＤカード２１を引っ張っている力を弱めれば、渦巻きバネの巻戻し作用によって、紐状をしたストラップがリール内に自動的に巻戻されて収納されるのでコンパクトで便利なものである。
【先行技術文献】
【特許文献】
【０００９】
【特許文献１】特開２００６−０４３２４２号公報
【特許文献２】特開２００８−２６４２９６号公報
【特許文献３】実用新案登録第３０４９２０２号公報
【特許文献４】実用新案登録第３０５４６８２号公報
【特許文献５】実用新案登録第３０６８８４０号公報
【考案の概要】
【考案が解決しようとする課題】
【００１０】
しかしながら、上述した特許文献１乃至特許文献５に記載されているリール式ＩＤカードホルダは、ストラップとして細い紐が使用されているのが一般的であった。そして、これらのリール式ＩＤカードホルダは、長期間にわたる使用によって紐の材質が劣化して、想定外の強い力がかかったりしたような場合には、突然にストラップの紐の部分で切断するという問題点があった。
【００１１】
また、上述したリール式ＩＤカードホルダをＩＤカードなどに使用をしたような場合には、使用者にとっては知らない間に紐が捩れてＩＤカードが裏返しになるような場合があった。そして、ＩＤカードの表面にのみ使用者の写真や氏名等が記載されているような場合であって、ＩＤカードが裏返しになっているような場合には、社外からのお客様に対して失礼となるような場合も多々認められていた。
【００１２】
加えて、従来のリール式ＩＤカードホルダには、ロッカー用の鍵などの小物を引っ掛ける部分がなかった。したがって、ロッカー用の鍵などの小物は、別途、キーホルダを使用したり、財布の中に入れたりするなどの工夫が必要になっており、その取扱いが煩わしいものであった。
【００１３】
本考案は、想定外の力がかかったような場合でもストラップの部分で切断されにくく、ＩＤカード２１が裏返しになりにくく、ロッカー用の鍵２７などの小物を衣服の胸ポケット２９の内側に保持することができる伸縮自在のストラップを有するリール式ＩＤカードホルダ１００の提供を目的としている。
【課題を解決するための手段】
【００１４】
本考案は、上述したような従来から使用されているリール式ＩＤカードホルダの問題点を解決するものである。
【００１５】
請求項１に記載された考案は、
ＩＤカードと結合されて使用されるリール式ＩＤカードホルダであって、
前記リール式ＩＤカードホルダは、
リール部とストラップ部とを有するものであり、
前記ストラップ部は、
前記ＩＤカードと結合される結合具と幅広の帯状ストラップとを有するものであり、
該帯状ストラップは、
前記リール部に巻き取り収納が可能なものであり、
該リール部は、
前記帯状ストラップが引き出されるスリット状をした引出口と、衣服の胸ポケットに固定されるクリップとを有するものである
ことを特徴としている。
【００１６】
請求項１に記載の考案によると、リール式のＩＤカードホルダ１００を用いるので、ＩＤカード２１の使用者は、身をかがめたり、カードケースからＩＤカードを取り出したりして、それを情報読取装置に接近させて情報を読み込ませる必要がない。また、ＩＤカード２１の使用後は、ＩＤカードを引っ張っている力を弱めれば、渦巻きバネの巻戻し作用によって、帯状をしたストラップがリール内に自動的に巻戻されて収納されるのでコンパクトで便利なものである。
【００１７】
また、本考案に係わるリール式ＩＤカードホルダは、ストラップの部分に幅広の帯状ストラップを用い、リール部の帯状ストラップが引き出される引出口の形状をスリット状にしている。したがって、細い紐を用いたストラップに比べてその強度を向上させることができるので切断されにくくすることができる。加えて、ストラップが幅広であり、引出口の形状をスリット状にしているので、紐状のストラップに比べて捩れにくくすることができるので、ＩＤカードが裏返しになりにくくすることができる。
【００１８】
請求項２に記載した考案は、
ＩＤカードと結合されて使用されるリール式ＩＤカードホルダであって、
前記リール式ＩＤカードホルダは、
リール部とストラップ部とを有するものであり、
前記ストラップ部は、
前記ＩＤカードと結合される結合具と幅広の帯状ストラップとを有するものであり、
前記結合具は、
前記ＩＤカードの表裏を逆にした状態で保持可能なものであり、
前記帯状ストラップは、
前記リール部に巻き取り収納が可能なものであり、
該リール部は、
前記帯状ストラップが引き出されるスリット状をした引出口と、衣服の胸ポケットに固定されるクリップとを有するものである
ことを特徴としている。
【００１９】
請求項２に記載した考案は、請求項１に記載した考案に加えて、使用目的に応じてＩＤカードの表裏を逆にした状態（裏返しの状態）のままで保持することができる。したがって、通常の業務ではＩＤカードの表面を使用し、裏面には社外からのお客様に接する際に使用するような場合分けがされているようなＩＤカードの使用にも便利なものである。
【００２０】
請求項３に記載の考案は、請求項１又は請求項２記載のリール式ＩＤカードホルダであって、
前記クリップには、
小物装着用孔が形成されている
ことを特徴としている。
【００２１】
請求項３に記載の考案によると、請求項１又は請求項２に記載した考案の特徴に加えて、鍵などの小物を衣服のポケットの内側に保持することができるので外部から見えることもない。また、何らかの理由でクリップから鍵などの小物が外れたりしたような場合でも、ポケットの内部に落下してそのまま保持されるので鍵などの小物が紛失をすることもない。
【００２２】
請求項４に記載の考案は、請求項３に記載のリール式ＩＤカードホルダであって、
前記小物装着用孔は、
前記クリップに突起部が形成され、該突起部が穿孔されて形成されたものである
ことを特徴としている。
【００２３】
請求項５に記載の考案は、請求項３に記載のリール式ＩＤカードホルダであって、
前記小物装着用孔は、
前記クリップの下端部を、チューブ状に折り曲げて形成されたものである
ことを特徴としている。
【００２４】
請求項４又は請求項５に記載の考案によると、様々な形状をしたクリップに小物装着用孔を形成することができる。また、クリップに比較的安価な手段で小物装着用孔を形成することができる。
【考案の効果】
【００２５】
本考案によるリール式ＩＤカードホルダは、ストラップの部分に幅広の帯状ストラップを用いている。したがって、細い紐を用いたストラップに比べてその強度を向上させることができるので切断されにくくすることができる。
【００２６】
また、ストラップが幅広のものであり、リール部にはスリット状をした引出口を用いているので、紐状のストラップに比べて捩れにくくすることができる。したがって、ＩＤカードが裏返しになりにくくすることができる。
【００２７】
さらに、ＩＤカードとリール式ＩＤカードホルダとの結合具として、回転式結合フックや着脱式結合フックを用いることによって、ＩＤカードの表裏を意図的に逆にした状態（裏返しの状態）のままで保持することもできる。
【００２８】
加えて、本考案に係わるリール式ＩＤカードホルダは、衣服の胸ポケットに固定するためのクリップの部分に小物装着用孔を設けるようにした。クリップの部分に小物装着用孔を設けることによって、ロッカー用の鍵などの小物が胸ポケットの内側に維持されるので外から見えることがない。また、何らかの理由で鍵などの小物がクリップから外れたりしたような場合でも、それらの小物は胸ポケットの内側に落下してそのまま保持されるので紛失をすることもない。
【図面の簡単な説明】
【００２９】
【図１】リール式ＩＤカードホルダの概略図である。
【００３０】
（ａ）帯状ストラップを引っ張り出した正面斜視図である。
【００３１】
（ｂ）帯状ストラップを引っ張り出した背面斜視図である。
【図２】板バネ式のクリップの部分に小物装着用孔を有するリール式ＩＤカードホルダの背面斜視図である。
【図３】リール本体をクリップで胸ポケットに固定した状態の概略図である。
【図４】小物装着用孔の変形例である。
【００３２】
（ａ）クリップに突起部を設けて小物装着用孔を形成。
【００３３】
（ｂ）クリップの下端部をチューブ状に折り曲げて小物装着用孔を形成。
【図５】回転式結合フックの概略図である。
【００３４】
（ａ）下部回転部品が回転初期（（ｃ））の状態の斜視図である。
【００３５】
（ｂ）下部回転部品が回転前の要部正面図である。
【００３６】
（ｃ）下部回転部品が回転初期（（ａ）の状態）の要部正面図である。
【００３７】
（ｄ）下部回転部品が回転末期の状態の要部正面図である。
【図６】着脱式結合フックの装着前の概略図である。
【図７】ネック用の紐を用いてリール式ＩＤカードホルダを首から吊り下げた状態図である。
【考案を実施するための形態】
【００３８】
以下において、本考案に係わるストラップの部分が伸縮自在な構造をしたリール式ＩＤカードホルダ１００の実施例について図１〜図７を用いて詳細に説明する。このリール式ＩＤカードホルダ１００は、ＩＤカード２１と直接的に、又は、ＩＤカード２１の入ったカードケース２３を介して結合フック１５などで結合されて使用されるものである（図７）。
【００３９】
例えば、ＩＤカード２１自体の上部に結合用孔２５を有しており、カードケース２３が必要とされないような場合もある。このような場合には、リール式ＩＤカードホルダ１００とＩＤカード２１とが結合具１４によって直接的に結合される。なお、図１などでは、ＩＤカード２１がカードケース２３内に装着されている一実施例が図示されている。
１．リール式ＩＤカードホルダ１００
リール式ＩＤカードホルダ１００は、主にリール部１とストラップ部１１とで構成されている（図１）。このリール式ＩＤカードホルダ１００は、帯状ストラップ１３をリール部１に巻き取って収納した状態で、上着やシャツなどの衣服の胸ポケット２９にクリップ５などで固定して使用をしたり（図３）、ネック用の紐２６などを係止具３の部分で固定して首から吊り下げて使用をしたりすることができる（図７）。
２．リール部１
リール部１は、図示されていない渦巻きバネが内臓されているリール本体２と、その上方にはネック用の紐２６などを固定するための孔部を有する係止具３と、その裏側には上着やシャツなど衣服の胸ポケット２９に固定するためのクリップ５と、帯状ストラップ１３を引き出すためのスリット状をした引出口９などを有するものである（図３（ａ）、（ｂ））。
【００４０】
なお、渦巻きバネが内臓されているリール本体２は、巻尺やコードリールなどにおいて一般的に使用されている技術を使用している。すなわち、渦巻きバネの巻戻し力よりも強い力で結合フック１５の部分を引っ張ることによって、リール内に巻回されている帯状ストラップ１３を引出口９から引き出すことができる。
【００４１】
一方、結合フック１５から手を放せば、渦巻きバネに蓄積されたエネルギーによって帯状ストラップ１３の部分はリール内に巻戻されるものである。なお、この帯状ストラップ１３の部分を伸縮自在にする技術は、一般的に使用されている技術なので詳細な説明は省略する。
【００４２】
そして、渦巻きバネの巻戻し力よりも強い力でＩＤカード２１などを引っ張り、リール内に巻回されている紐状をしたストラップの部分を引き出すことによって、ＩＤカード２１などを情報読取装置に接近させることができる。したがって、ＩＤカード２１の使用者は、カードケース２３からＩＤカード２１を取り出したり、身をかがめたりして情報読取装置に接近させて、その情報を読み込ませる必要がない。
【００４３】
一方、ＩＤカード２１の使用後は、ＩＤカード２１を引っ張っている力を弱めれば、渦巻きバネの巻戻し作用によって帯状ストラップ１３がリール内に巻戻されて収納される。なお、リール部１に、巻尺やコードリールなどにおいて一般的に用いられているようなストッパ機能（または、ラッチ機能とも呼ばれている。）やその解除機能を設けることもできる。
３．クリップ５
本考案に係わるリール式ＩＤカードホルダ１００は、リール部１の裏面にクリップ５を設置して、衣服の胸ポケット２９の部分に挟んで固定できるようにした（図１（ｂ）、図３）。
【００４４】
このクリップ５としては、例えば、弾力性がある板バネ式のものや（図１（ｂ））、図示されていない弦巻バネを有するワニ口式のものなどを用いることができる。本実施例では、板バネを用いるクリップ５の例を示しており（図１（ｂ）、図２）、リール本体２の裏面に設置されている。
【００４５】
本実施例では、板バネを用いたクリップ５の下部の反り返り部分に、ロッカー用の鍵２７などの小物をリング８などを介して装着するための小物装着用孔７を設けるようにした（図２、図３）。板バネ式のクリップ５の反り返り部分に小物装着用孔７を設けることによって、リング８などの取り付けが容易になり使いやすくすることができる。
【００４６】
クリップ５の部分に小物装着用孔７を設けることによって、鍵２７などの小物が胸ポケット２９の内側に保持されるので外部から見えることがない（図３）。また、何らかの理由でクリップ５から鍵２７などの小物が外れたような場合でも、鍵２７などの小物は胸ポケット２９の内部に落下してそのまま保持されるので紛失をすることもない。
【００４７】
図２及び図３では、クリップ５の下部の反り返り部分に小物装着用孔７を穿孔した例を示しているが、クリップ５の中央部に樹脂製または金属製などの突起部１０を形成し、その突起部１０を穿孔して小物装着用孔７を形成したり（図４（ａ））、クリップ５の下端部を折り曲げてチューブ状にしたりして（図４（ｂ））、小物装着用孔７を形成することもできる。
【００４８】
これらの手段を用いることによって、様々な形状をしたクリップ５に小物装着用孔７を形成することができる。また、クリップ５の下端部をチューブ状に折り曲げた小物装着用孔７を形成することによって、その製造が容易となりコスト低減をすることができる。
４．ストラップ部１１
ストラップ部１１は、ＩＤカード２１やカードケース２３などの結合用孔２５と結合させるための結合具１４、例えば、結合フック１５と幅広の帯状ストラップ１３とを有するものである（ただし、図１等ではＩＤカード２１がカードケース２３内に装着されている状態が図示されている。）。
【００４９】
結合フック１５の部分を下方向に引っ張ることによって、リール本体２内に巻回されている帯状ストラップ１３をスリット状の引出口９から引き出すことができる。図１では、結合フック１５として「？字状（ハテナ）」のものを用いた例を示しているが、この他にも鉤状のものなど多様な形状をした結合フック１５を用いることができる。
【００５０】
伸縮自在の帯状ストラップ１３は、通常は上述したリール本体２の内部に巻回されて収納されており（図７）、結合フック１５の部分を指で摘まんで、矢印方向に引っ張ることによってリール本体２から引き出すことができる（図１（ａ）、（ｂ））。
【００５１】
ここで、本考案に係わるリール式ＩＤカードホルダ１００では、紐状をしたストラップではなく、幅広の帯状ストラップ１３を用いるようにした。幅広の帯状ストラップ１３を用いることによって、その強度を向上させることができる。したがって、長期間にわたって使用を続けたり、想定外の強い力がかかったりしたような場合でも、帯状ストラップ１３の部分で切断されにくくすることができる。
【００５２】
加えて、幅広の帯状ストラップ１３とスリット状をした引出口９とを用いることによって、捩じれに対する反発力が増加するのでさらに捩れにくくすることができる。したがって、使用者にとっては知らない間に紐が捩れて、ＩＤカード２１の表裏が逆になるというような問題点（裏返しになるという問題点）をほぼ解消することができる。
【００５３】
すなわち、ＩＤカード２１の表面にのみ使用者の写真や氏名等が記載されているような場合であって表裏が逆になることによってそれらが見えなくなり、社外からのお客様に対して失礼になるという問題点を解消することができる。
５．結合フック１５
上述したように、本考案に係わるリール式ＩＤカードホルダ１００では、幅広の帯状ストラップ１３やスリット状をした引出口９を用いることを特徴としている。したがって、表裏のあるようなＩＤカード２１などに使用をしたような場合には、使用者にとっては知らない間に紐が捩れて、ＩＤカード２１の表裏が逆になるという問題点をほぼ解消することができる。
【００５４】
しかしながら、通常の業務ではＩＤカード２１の表面を使用し、裏面には社外からのお客様に接する際に使用することを目的とするように、場合分けがされているＩＤカード２１なども存在する。そして、目的に応じてＩＤカード２１の表裏をあえて逆にした状態で使用をしたいような場合もある。すなわち、ＩＤカード２１の表面を社内用、裏面を社外用にしたいような場合がある。
【００５５】
図５に、回転式結合フック１７を用いて、意図的にＩＤカード２１を約１８０度回転させて、その表裏を逆にした状態で装着することが可能な場合の実施例を示す。この回転式結合フック１７は市販されているものであり、上部回転部品１７ａと下部回転部品１７ｂが結合溝１７ｃの内部で嵌合された構造のものである。
【００５６】
上部回転部品１７ａは、その内側に突起状の嵌合凸部１７ｆを持つ一対の嵌合腕１７ｅを有している。一方、下部回転部品１７ｂは、嵌合凸部１７ｆと嵌合する凹状をした一対の嵌合溝１７ｄを有している。そして、嵌合凸部１７ｆと嵌合溝１７ｄとが嵌合することによって、下部回転部品１７ｂを１８０度回転させた状態のまま保持することができるものである。なお、図５に示される回転式結合フック１７は、一般的に市販されているものなので詳細な説明は省略する。
【００５７】
図６に、着脱式結合フック１９を用いて、ＩＤカード２１の表裏を逆にすることが可能な場合の実施例を示す。この着脱式結合フック１９は、一対の上方の雌形をした嵌合穴を有する上部装着部品１９ａと、下方の雄形のフォーク状をした下部装着部品１９ｂとで構成されおり、それぞれの脱着を可能とするものである。
【００５８】
なお、図６に示される着脱式結合フック１９では、上部を雌形に、下部を雄形にしているが、上部を雄形に、下部を雌形にすることもできる。また、図６に示される着脱式結合フック１９は、一般的に市販されているものなので詳細な説明は省略する。
【００５９】
これらの回転式結合フック１７や着脱式結合フック１９を用いることによって、使用目的に応じて簡単な操作でＩＤカード２１の表裏を逆にした状態（裏返しの状態）のままで保持することができる。
【産業上の利用可能性】
【００６０】
本考案に係わるリール式ＩＤカードホルダは、ＩＤカード又はＩＤカードが装着されているカードケースを、クリップなどで胸ポケットなどに固定したり、ネック用の紐などで首から吊り下げたりするものに利用をすることができる。
【符号の説明】
【００６１】
１    リール部
２    リール本体
３    係止具
５    クリップ
７    小物装着用孔
８    リング
９    引出口
１０    突起部
１１    ストラップ部
１３    帯状ストラップ
１４    結合具
１５    結合フック
１７    回転式結合フック
１７ａ    上部回転部品
１７ｂ    下部回転部品
１７ｃ    結合溝
１７ｄ    嵌合溝
１７ｅ    嵌合腕
１７ｆ    嵌合凸部
１９    着脱式結合フック
１９ａ    上部装着部品（雌形）
１９ｂ    下部装着部品（雄形）
２１    ＩＤカード
２３    カードケース
２５    結合用孔
２６    ネック用の紐
２７    鍵
２９    胸ポケット
１００  リール式ＩＤカードホルダ
【図１】
0003183259.tif 000003
【図２】
0003183259.tif 000004
【図３】
0003183259.tif 000005
【図４】
0003183259.tif 000006
【図５】
0003183259.tif 000007
【図６】
0003183259.tif 000008
【図７】
0003183259.tif 000009